(57)【要約】【課題】支持杭の鉛直精度を向上させるとともに、高所作業及び水中作業を無くすことが可能な鋼管杭施工方法を提供する。【解決手段】外周面に継手が設けられた第１の鋼管杭を打設する工程と、打設された第１の鋼管杭の継手に対して第２の鋼管杭の外周面に設けられた継手を係合させた状態で、該第２の鋼管杭を前記第１の鋼管杭外周面に対し該鋼管杭長手方向にスライドさせて、地面に打設する鋼管杭打設工程と、を備え、前記第１の鋼管杭の継手は、Ｔ字型断面を有するとともに鋼管杭の上端から下端まで延設されており、前記第２の鋼管杭の継手は、前記第１の鋼管杭の継手に係合する形状であることを特徴とする鋼管杭施工方法とする。【選択図】図１３
2015143472.tif 000002
【特許請求の範囲】
【請求項１】
外周面に継手が設けられた第１の鋼管杭を打設する工程と、
打設された第１の鋼管杭の継手に対して第２の鋼管杭の外周面に設けられた継手を係合させた状態で、該第２の鋼管杭を前記第１の鋼管杭外周面に対し該鋼管杭長手方向にスライドさせて、地面に打設する鋼管杭打設工程と、
を備え、
前記第１の鋼管杭の継手は、Ｔ字型断面を有するとともに鋼管杭の上端から下端まで延設されており、
前記第２の鋼管杭の継手は、前記第１の鋼管杭の継手に係合する形状であることを特徴とする鋼管杭施工方法。
【請求項２】
前記第２の鋼管杭の継手は、前記第１の鋼管杭に対向する面の一部が開口した中空の四角断面を有する長尺の部材であることを特徴とする請求項１記載の鋼管杭施工方法。
【請求項３】
前記第２の鋼管杭の継手は、前記第１の鋼管杭に対向する面の一部が開口した略Ｃ型断面を有する長尺の部材であることを特徴とする請求項１記載の鋼管杭施工方法。
【請求項４】
前記鋼管杭打設工程において、
下端にダウンザホールハンマと拡張可能なハンマービットを有するロッドを、前記第２の鋼管杭の内部に挿通して、前記ダウンザホールハンマの打撃作用と前記ハンマービットの回転掘削作用によって掘削孔を形成し、次いで該掘削孔に前記第２の鋼管杭を打ち込むことを特徴とする請求項１乃至３のいずれかに記載の鋼管杭施工方法。
【発明の詳細な説明】
【技術分野】
【０００１】
本発明は、水上の桟橋構築作業において、支持杭の鉛直精度を向上させるとともに、高所作業及び水中作業を無くすことが可能な鋼管杭施工方法に関する。
【背景技術】
【０００２】
杭の上に床版を載せた構造の杭式桟橋（例えば、下記特許文献１参照）においては、杭自体が強度を要求される橋脚となる。そのため、杭の長さが長くなると隣り合う杭の間を梁により連結して補強することが必要となる。
【０００３】
通常、梁による杭間の連結は、杭を地面に打設した後、打設した杭に梁を溶接することにより行われている。
このような従来の施工方法では、次の杭を先行打ちするため、杭の打設位置を正確に調整するのは難しく、さらに杭の鉛直精度の確保が困難であった。そのため、例えば一旦杭打ちしてから、その杭の向きを再調整しなければならず、手間や時間がかかるという問題があった。
また、梁による杭の連結作業（梁を杭に溶接する作業）を行うには高所作業や水中作業が必要になるため、手間や時間がかかるばかりでなく、作業に危険が伴うという問題があった。
【０００４】
特許文献２には、水中での梁の接合作業を減らし設置作業性を向上させることを課題の一つとして、隣り合う支持杭の互いの対向面にガイドを設け、このガイド間に高強度繊維補強コンクリート製の補強部材をスライド挿入させる仮設桟橋の施工方法が開示されている。
しかし、特許文献２記載の方法も、次の杭を先行打ちした後、補強部材を杭間でスライド挿入する方法であるため、杭の鉛直精度の確保が困難であるという問題は依然解消されていない。
【先行技術文献】
【特許文献】
【０００５】
【特許文献１】特許第３０４３３２０号公報
【特許文献２】特開２０１１−１６２９８８号公報
【発明の概要】
【発明が解決しようとする課題】
【０００６】
本発明は、上記したような従来技術の問題点を解決すべくなされたものであって、支持杭の鉛直精度を向上させるとともに、高所作業及び水中作業を無くすことが可能な鋼管杭施工方法を提供するものである。
【課題を解決するための手段】
【０００７】
参考例は、互いに平行に延びる複数の支持部材と、隣り合う支持部材同士を該支持部材長手方向に対して斜め方向及び直角方向に連結する連結材とからなる補強部材を地組する地組工程と、前記地組した補強部材の一端面側の支持部材と既設の第１の支持杭の外周面に設けられた継手とを係合させた状態で、前記補強部材を前記第１の支持杭外周面に対し該支持杭長手方向にスライドさせて、前記補強部材を所定高さ位置に配置する補強部材配置工程と、第２の支持杭の外周面に設けられた継手と前記配置された補強部材の他端面側の支持部材とを係合させた状態で、前記第２の支持杭を前記支持部材の前記他端面に対し該支持部材長手方向にスライドさせて、前記第２の支持杭を地面に打設する支持杭打設工程と、を備えていることを特徴とする桟橋構築方法に関する。
【０００８】
参考例は、前記連結材が、支持部材長手方向に対して直角方向に連結するとともに互いに平行に間隔をおいて配置された繋ぎ材と、支持部材長手方向に対して斜め方向に連結するとともに隣り合う前記繋ぎ材間にクロスして設けられたブレス材とからなり、前記ブレス材同士がクロス部で互いに回動自在に固定されるとともに前記繋ぎ材の長手方向の長さが調整可能に構成されることで、前記補強部材が支持部材長手方向に対し折り畳み可能に構成されていることを特徴とする桟橋構築方法に関する。
【０００９】
参考例は、前記支持杭打設工程において、下端にダウンザホールハンマと拡張可能なハンマービットを有するロッドを、前記第２の支持杭の内部に挿通して、前記ダウンザホールハンマの打撃作用と前記ハンマービットの回転掘削作用によって掘削孔を形成し、次いで該掘削孔に前記第２の支持杭を打ち込むことを特徴とする桟橋構築方法に関する。
【００１０】
請求項１に係る発明は、外周面に継手が設けられた第１の鋼管杭を打設する工程と、打設された第１の鋼管杭の継手に対して第２の鋼管杭の外周面に設けられた継手を係合させた状態で、該第２の鋼管杭を前記第１の鋼管杭外周面に対し該鋼管杭長手方向にスライドさせて、地面に打設する鋼管杭打設工程と、を備え、前記第１の鋼管杭の継手は、Ｔ字型断面を有するとともに鋼管杭の上端から下端まで延設されており、前記第２の鋼管杭の継手は、前記第１の鋼管杭の継手に係合する形状であることを特徴とする鋼管杭施工方法に関する。
【００１１】
請求項２に係る発明は、前記第２の鋼管杭の継手は、前記第１の鋼管杭に対向する面の一部が開口した中空の四角断面を有する長尺の部材であることを特徴とする請求項１記載の鋼管杭施工方法に関する。
【００１２】
請求項３に係る発明は、前記第２の鋼管杭の継手は、前記第１の鋼管杭に対向する面の一部が開口した略Ｃ型断面を有する長尺の部材であることを特徴とする請求項１記載の鋼管杭施工方法に関する。
【００１３】
請求項４に係る発明は、前記鋼管杭打設工程において、下端にダウンザホールハンマと拡張可能なハンマービットを有するロッドを、前記第２の鋼管杭の内部に挿通して、前記ダウンザホールハンマの打撃作用と前記ハンマービットの回転掘削作用によって掘削孔を形成し、次いで該掘削孔に前記第２の鋼管杭を打ち込むことを特徴とする請求項１乃至３のいずれかに記載の鋼管杭施工方法に関する。
【発明の効果】
【００１４】
参考例によれば、地組した補強部材の一端面側の支持部材と既設の第１の支持杭の外周面に設けられた継手とを係合させた状態で前記補強部材を前記第１の支持杭外周面に対し該支持杭長手方向にスライドさせて前記補強部材を所定高さ位置に配置する補強部材配置工程と、第２の支持杭の外周面に設けられた継手と前記配置された補強部材の他端面側の支持部材とを係合させた状態で前記第２の支持杭を前記支持部材の前記他端面に対し該支持部材長手方向にスライドさせて前記第２の支持杭を地面に打設する支持杭打設工程と、を備えていることにより、第２の支持杭を既設の第１の支持杭に設置された補強部材外周面にスライドさせるだけで、鉛直方向を別途調整することなく第２の支持杭の良好な鉛直精度を得ることができる。また、第１の支持杭と第２の支持杭とは間に補強部材が介在して連結されることとなるため、各支持杭間の距離を一定とすることが可能となる。そして、支持杭打設工程においては、第２の支持杭の打設の深さを補強部材の上面を基準に決定することができるので、支持杭（第１の支持杭と第２の支持杭）同士の杭先端の高さを揃えることができる。
また、上記スライド構造とすることで、支持杭と補強部材とをボルト締めや溶接等で固定しなくても、鉛直方向のみの固定（例えば、第１の支持杭に補強部材を支持するストッパを設ける）だけで支持杭に対する補強部材の位置を決定することができる。これにより、高所作業や水中作業を減らすことができ、安全性を向上させることができる。
【００１５】
参考例によれば、連結材が、支持部材長手方向に対して直角方向に連結するとともに互いに平行に間隔をおいて配置された繋ぎ材と、支持部材長手方向に対して斜め方向に連結するとともに隣り合う前記繋ぎ材間にクロスして設けられたブレス材とからなり、前記ブレス材同士がクロス部で互いに回動自在に固定されるとともに前記繋ぎ材の長手方向の長さが調整可能に構成されることで、前記補強部材が支持部材長手方向に対し折り畳み可能に構成されていることにより、補強部材を折り畳んだ状態で作業することができるので、運搬や補強部材の配置の作業効率を向上させることができる。
【００１６】
参考例によれば、支持杭打設工程において、下端にダウンザホールハンマと拡張可能なハンマービットを有するロッドを、前記第２の支持杭の内部に挿通して、前記ダウンザホールハンマの打撃作用と前記ハンマービットの回転掘削作用によって掘削孔を形成し、該掘削孔に前記第２の支持杭を打ち込むことから、深い水底に対しても支持杭を確実に良好な鉛直精度で打設することができる。
【００１７】
本発明によれば、外周面に継手が設けられた第１の鋼管杭を打設する工程と、打設された第１の鋼管杭の継手に対して第２の鋼管杭の外周面に設けられた継手を係合させた状態で該第２の鋼管杭を前記第１の鋼管杭外周面に対し該鋼管杭長手方向にスライドさせて地面に打設する鋼管杭打設工程と、を備えていることにより、鋼管杭（第１の鋼管杭と第２の鋼管杭）同士が連結されるので、水流や波浪の影響を低減することができる。
また、第２の鋼管杭を既設の第１の鋼管杭外周面に対しスライドさせるだけで、鉛直方向を別途調整することなく第２の鋼管杭の良好な鉛直精度を得ることができる。また、第１の鋼管杭と第２の鋼管杭とは間に継手が介在して連結されることとなるため、各鋼管杭間の距離を一定とすることも可能となる。そして、鋼管杭の打設工程においては、第２の鋼管杭の打設の深さを第１の鋼管杭の上面を基準に決定することができるので、鋼管杭（第１の鋼管杭と第２の鋼管杭）同士の杭先端の高さを揃えることができる。
【００１８】
本発明によれば、鋼管杭打設工程において、下端にダウンザホールハンマと拡張可能なハンマービットを有するロッドを、前記第２の鋼管杭の内部に挿通して、前記ダウンザホールハンマの打撃作用と前記ハンマービットの回転掘削作用によって掘削孔を形成し、該掘削孔に前記第２の鋼管杭を打ち込むことから、深い水底に対しても鋼管杭を確実に良好な鉛直精度で打設することができる。
【図面の簡単な説明】
【００１９】
【図１】参考例の桟橋構築方法の施工前の状態を示す図である。
【図２】（ａ）補強部材の正面図であり、（ｂ）補強部材の左側面図である。
【図３】地組した補強部材をクレーンにより吊り下げる様子を示す図である。
【図４】補強部材配置工程を説明するための図であり、（ａ）補強部材同士を連結する前の状態、（ｂ）補強部材を所定高さに配置している状態を示す図である。
【図５】支持杭と補強部材の支持部材との係合部の平面図である。
【図６】支持杭と補強部材の支持部材との係合部の変更例を示す平面図である。
【図７】第２の支持杭を補強部材外周面にスライドさせている状態を示す図である。
【図８】ダウンザホールにより地面を掘削している状態を示す図である。
【図９】支持杭を打設している状態を示す図である。
【図１０】補強部材の変更例を示す図である。
【図１１】補強部材が折り畳まれた状態を示す図である。
【図１２】第１の鋼管杭を打設している状態を示す図である。
【図１３】第２の鋼管杭を第１の鋼管杭外周面にスライドさせている状態を示す図である。
【発明を実施するための形態】
【００２０】
以下、参考例に係る桟橋構築方法及び本発明に係る鋼管杭施工方法の好適な実施形態について、適宜図面を参照しながら説明する。
【００２１】
先ず、桟橋構築方法について説明する。
図１は、参考例の桟橋構築方法の施工前の状態を示す図である。
本発明に係る桟橋構築方法は、一から新たに桟橋を構築する場合と既設の桟橋から順次延長して桟橋を構築する場合の両方に用いることができるが、以下、桟橋完成部分（Ａ）から桟橋未完成部分（Ｂ）に向けて桟橋を順次延長して構築する方法について説明する。図中、（Ｗ）は水面、（Ｇ）は地面（水底）である。尚、一から新たに桟橋を構築する場合にも、以下に説明する方法と同様の方法を適用することが可能である。
以下、参考例に係る桟橋構築方法を作業工程に沿って説明する。
【００２２】
＜１．地組工程＞
先ず、補強部材を地組する。
図２は、（ａ）補強部材の正面図であり、（ｂ）補強部材の左側面図である。
補強部材（１）は、互いに平行に延びる複数の支持部材（２）と、隣り合う支持部材同士を支持部材長手方向に対して斜め方向及び直角方向に連結する連結材（３）とから構成される。
補強部材（１）の連結材（３）は、支持部材（２）の長手方向に対して直角方向に連結するとともに互いに平行に間隔をおいて配置された繋ぎ材（３１）と、支持部材（２）の長手方向に対して斜め方向に連結するとともに隣り合う繋ぎ材（３１）間にクロスして設けられたブレス材（３２）とからなり、繋ぎ材（３１）とブレス材（３２）とは繋ぎ材（３１）の左右両端部に夫々固定された固定板（３３）を介して一体に接続されている。
補強部材（１）は、支持部材（２）と繋ぎ材（３１）によって格子状に形成されており、支持部材（２）の本数は、図２（ｂ）では３本（つまり計６本）とされているが、２本（つまり計４本）又は４本（つまり計８本）以上であってもよい。
補強部材（１）は、支持部材（２）同士を長手方向に連結した状態で次工程である補強部材配置工程に供給してもよい。支持部材（２）同士の連結は、支持部材（２）の端部に形成したフランジ同士の溶接又はボルト止めにより行うことができる。
【００２３】
＜２．補強部材配置工程＞
図３は、地組した補強部材をクレーンにより吊り下げる様子を示す図である。図４は、補強部材配置工程を説明するための図であり、（ａ）補強部材同士を連結する前の状態、（ｂ）補強部材を所定高さに配置している状態を示す図である。
図３に示すように、上記地組工程にて地組した補強部材（１）を、桟橋完成部分（Ａ）上でクレーンにより吊り下げ、図４における上側から既設の第１の支持杭（４ａ）に沿って順次吊降ろす。具体的には、地組した補強部材（１）の一端面側（１ａ）の支持部材（２）と既設の第１の支持杭（４ａ）の外周面に設けられた継手とを係合させた状態で、補強部材（１）を第１の支持杭（４ａ）外周面に対し支持杭長手方向（図３、図４（ａ）の矢印方向）にスライドさせて、補強部材（１）を上面が桟橋完成部分（Ａ）の橋面とほぼ同じ高さとなる位置で仮固定する。仮固定の方法は、限定されるものではなく、例えば桟橋完成部分（Ａ）の既設補強部材（１１）あるいは第１の支持杭（４ａ）に、図３の左右方向に移動可能あるいは水平方向に回動可能なストッパを設けることにより、補強部材（１）を仮固定することができる。あるいは、既設補強部材（１１）を反力にして所定のワイヤで補強部材（１）を吊ることで、補強部材（１）を仮固定することができる。
最初の補強部材（１）を第１の支持杭（４ａ）外周面に対してスライドさせて、上面が桟橋完成部分（Ａ）の橋面とほぼ同じ高さとなる位置まで吊り降ろし仮固定すると、次いで次の補強部材（１）を図４における上側から既設の第１の支持杭（４ａ）に沿って吊降ろし、補強部材（１）同士を連結させる。この連結作業は、桟橋完成部分（Ａ）の橋面とほぼ同じ高さに橋面から水平にスライドし張り出し可能に設けられた足場上で行うことができる。補強部材同士を連結後、下側の補強部材（１）の仮固定を外し、次いで上側の補強部材（１）の上面が桟橋完成部分（Ａ）の橋面とほぼ同じ高さとなる位置まで、連結された補強部材を吊り降ろして下側の補強部材（１）を仮固定する。これを繰り返して所望の数の補強部材（１）を配置する。
【００２４】
一番下の補強部材（１）の最終的な高さ位置は、第１の支持杭（４ａ）にストッパ（図示せず）を設けることにより決定することができ、このストッパにより補強部材（１）を支持することが可能となる。したがって、ストッパに下面が当接する所まで補強部材（１）をクレーンにより吊り降ろし、クレーンと補強部材の係合を外してクレーンを引き上げるだけで、補強部材（１）は第１の支持杭（４ａ）に固定される。よって、本発明の方法は、支持杭と補強部材を固定するための高所作業や水中作業を行う必要が無く、安全性に優れている。
【００２５】
上記したように、支持部材（２）は既設の第１の支持杭（４ａ）外周面に対し支持杭長手方向にスライド可能に構成される。既設の第１の支持杭（４ａ）はその外周面に継手を備えており、この継手は、補強部材（１）の一端面側（１ａ）の支持部材（２）と係合し、且つ支持部材（２）が既設の第１の支持杭（４ａ）外周面に対し支持杭長手方向にスライドできるように構成されている。
【００２６】
以下、補強部材（１）と第１の支持杭（４ａ）とを連結する継手の例について説明する。以下に示す例はあくまで一例であり、補強部材（１）が第１の支持杭（４ａ）に対し係合且つスライド可能であれば継手の形状は限定されるものではない。
図５は、支持杭と補強部材の支持部材との係合部の平面図である。
第１の支持杭（４ａ）はその外周面に、Ｔ字形断面を有するとともに支持杭の上端から下端まで延設された継手（５）を備えている。一方、補強部材（１）の支持部材（２）は、支持杭（４ａ）に対向する面の一部が開口した中空の四角断面を有する長尺の部材である。図５に示すように、継手（５）が支持部材（２）の上側（図４における上側）から該部材（２）に挿入されることにより、支持部材（２）と既設の第１の支持杭（４ａ）とを係合させた状態で補強部材（１）を第１の支持杭（４ａ）外周面に対しスライドさせながら、クレーンにより吊り降ろすことが可能となる。
よって、既設の桟橋から順次延長して桟橋を構築する場合は、予め既設の第１の支持杭（４ａ）の外周面に継手（５）を固定する。一から新たに桟橋を構築する場合は、支持杭の外周面に継手（５）を固定したものを第１の支持杭（４ａ）として使用することができる。
【００２７】
図６は、支持杭と補強部材の支持部材との係合部の変更例を示す平面図である。
補強部材（１）の支持部材（２）は鋼管であって、第１の支持杭（４ａ）に対向する面の一部が開口した略Ｃ型断面を有する鋼管からなる継手（６）を備えている。第１の支持杭（４ａ）が有する継手（５）が支持部材（２）の上側（図４における上側）から継手（６）に挿入されることにより、補強部材（１）を第１の支持杭（４ａ）に対しスライドさせながら、クレーンにより吊り降ろすことが可能となる。
【００２８】
＜３．支持杭打設工程＞
次に、新たな支持杭を打設する。本明細書において、既設の支持杭に対し新たに打設する支持杭を第２の支持杭と称す。
図７は、第２の支持杭を補強部材にスライドさせている状態を示す図である。
第２の支持杭（４ｂ）は、第１の支持杭（４ａ）と同様に、補強部材（１）外周面に対し補強部材（１）の上側（図７における上側）からスライド可能に構成されている。具体的には、第２の支持杭（４ｂ）の外周面に設けられた継手と配置された補強部材（１）の他端面側（１ｂ）の支持部材（２）とを係合させた状態で、第２の支持杭（４ｂ）を支持部材（２）の他端面（１ｂ）に対し支持部材長手方向（図７の矢印方向）にスライド下降させる。これにより、図７に示すように水底（Ｇ）に第２の支持杭（４ｂ）の下面が接触しない所定高さ位置まで吊り降ろす。
【００２９】
次いで、地面（Ｇ）を掘削する。図８は、ダウンザホールにより掘削している状態を示す図である。
下端にダウンザホールハンマ（７）と拡張可能なハンマービット（８）を有するロッド（９）を、所定高さ位置に吊り降ろされた第２の支持杭（４ｂ）の内部に挿通する。そして、ダウンザホールハンマ（７）の打撃作用とハンマービット（８）の回転掘削作用によって地面（Ｇ）に掘削孔を形成する。
掘削孔の形成時に排出された掘削土は、高圧エアを供給することにより第２の支持杭（４ｂ）とロッド（９）の隙間を通って上昇し、第２の支持杭（４ｂ）の上端部から排出ホース（図示せず）を介して桟橋上に配置したベッセル（図示せず）に収容される。これにより、水の汚濁が防止される。また、ベッセルに収容された岩塊を検証することにより、掘削孔が予定深度（支持層）に達したか否かを確認することができる。
【００３０】
図９は、支持杭を打設した状態を示す図である。掘削孔が予定深度に達したら、油圧式掘進機により第２の支持杭（４ｂ）を打ち込み、その後、クレーンによりロッド（９）を引き上げることにより第２の支持杭（４ｂ）の打設が完了する。
【００３１】
各支持杭間は補強部材（１）によって距離が一定となる。そして、支持杭の打設工程においては、第２の支持杭（４ｂ）の打設の深さを補強部材（１）の上面を基準に決定することができるので、支持杭同士の杭先端の高さを揃えることができる。
【００３２】
その後、第１の支持杭（４ａ）と第２の支持杭（４ｂ）との間に床板を載置し、上記の補強材配置工程及び支持杭打設工程を繰り返すことにより、桟橋を順次延長することができる。つまり、第２の支持杭（４ｂ）は打設された時点で既設の第１の支持杭（４ａ）となり、上記方法に従って補強部材（１）、第２の支持杭（４ｂ）を順次配設することにより、桟橋を延長することができる。このため、第２の支持杭（４ｂ）は、該支持杭の軸に対し対称となる位置に補強部材（１）を係合及びスライドさせるための継手（５）をもう１つ備えている。
【００３３】
次に、補強部材（１）の変更例について説明する。図１０は補強部材の変更例を示す図であり、図１１は補強部材が折り畳まれた状態を示す図である。
補強部材（１）の連結材（３）は、支持部材（２）の長手方向に対して直角方向に連結するとともに互いに平行に間隔をおいて配置された繋ぎ材（３１）と、支持部材（２）の長手方向に対して斜め方向に連結するとともに隣り合う繋ぎ材（３１）間にクロスして設けられたブレス材（３２）とからなり、繋ぎ材（３１）とブレス材（３２）とは繋ぎ材（３１）の左右両端部に夫々固定された固定板（３３）を介して一体に接続されている。
ブレス材（３２）は、互いにクロス部で互いに回動自在に固定されており、繋ぎ材（３１）は、油圧シリンダ等の伸縮可能な長さ調整機構（２１）により、長手方向の長さ（図１０における左右方向の長さ）が調整可能に構成される。これにより、図１１に示すように、補強部材（１）は支持部材（２）の長手方向に対し折り畳み可能に構成されている。
これにより、補強部材（１）を折り畳んだ状態で作業することができるので、運搬や補強部材の配置の作業効率を向上させることができる。
【００３４】
次に、鋼管杭の施工方法について説明する。
上記にて、支持杭と補強部材を交互に設置する方法について説明したが、支持杭（鋼管杭）を連続して打設する方法にも、同様のスライドによる配置方法を用いることができる。
【００３５】
図１２は第１の鋼管杭を打設している状態を示す図であり、図１３は第２の鋼管杭を第１の鋼管杭外周面にスライドさせている状態を示す図である。
外周面に継手が設けられた第１の鋼管杭（１０ａ）を地面（水底）に打設する。これは、第１の鋼管杭（１０ａ）をクレーンにより吊り下げ、上記した桟橋構築方法と同様の方法（ダウンザホール工法）により行うことができる（図８参照）。
次に、打設された第１の鋼管杭（１０ａ）の継手に対して第２の鋼管杭（１０ｂ）の外周面に設けられた継手を係合させた状態で、第１の鋼管杭（１０ａ）外周面に対し上側（図１３における上側）から第２の鋼管杭（１０ｂ）をスライドさせて、図１３に示すように水底（Ｇ）に第２の鋼管杭（１０ｂ）の下面が接触しない所定高さ位置まで吊り降ろす。鋼管杭同士の係合及びスライド機構として、例えば図６に示す継手などの上記した桟橋構築方法と同様の構成を採用できる。
【００３６】
このような方法とすることにより、鋼管杭同士が連結されるので、水流や波浪の影響を低減することができる。
また、第２の鋼管杭（１０ｂ）は、第１の鋼管杭（１０ａ）に対しスライド挿入するだけで、第２の鋼管杭（１０ｂ）の鉛直方向を別途調整することなく第２の鋼管杭（１０ｂ）の良好な鉛直精度を得ることができる。また、各鋼管杭間の距離を一定とすることも可能となる。そして、鋼管杭の打設工程においては、第２の鋼管杭（１０ｂ）の打設の深さを第１の鋼管杭（１０ａ）の上面を基準に決定することができるので、鋼管杭同士の杭先端の高さを揃えることができる。
【産業上の利用可能性】
【００３７】
参考例に係る桟橋構築方法および本発明に係る鋼管杭施工方法は、様々な場所における杭式桟橋構築に幅広く利用することができ、特にダム湖等の水深が深い場所における桟橋構築に好適に利用される。
【符号の説明】
【００３８】
１      補強部材
２      支持部材
３      連結材
３１    繋ぎ材
３２    ブレス材
４ａ    第１の支持杭
４ｂ    第２の支持杭
５      継手
６      継手
７      ダウンザホールハンマ
８      ハンマービット
９      ロッド
１０ａ  第１の鋼管杭
１０ｂ  第２の鋼管杭
【図１】
2015143472.tif 000003
【図２】
2015143472.tif 000004
【図３】
2015143472.tif 000005
【図４】
2015143472.tif 000006
【図５】
2015143472.tif 000007
【図６】
2015143472.tif 000008
【図７】
2015143472.tif 000009
【図８】
2015143472.tif 000010
【図９】
2015143472.tif 000011
【図１０】
2015143472.tif 000012
【図１１】
2015143472.tif 000013
【図１２】
2015143472.tif 000014
【図１３】
2015143472.tif 000015